(57)【要約】【課題】カプセルに手を触れずに、カプセル内に内服物を入れ、かつ、内服物が入れられたカプセルを支持具から取り外すことができるカプセル支持具を提供する。【解決手段】内服物を入れる前のカプセル１３を保持する保持台１１と、保持台１１に保持されたカプセル１３を受け取る外蓋１９と、外蓋１９に保持されているカプセル１３の内殻１３ｂを受け取る内蓋１７と、外蓋１９に取付けられており、かつ、内殻１３ｂへ内服物を入れてから外殻１３ａを内殻１３ｂに嵌めた後に、外殻１３ａを外蓋１９から押し出すシート２２と、内蓋１７に保持されているカプセル１３を内蓋１９から受け取る外蓋１９と、外蓋１９に保持されているカプセル１３を外蓋１９から内蓋１７とを有する。【選択図】図１
2013180797.tif 000002
【特許請求の範囲】
【請求項１】
内殻と外殻とを嵌め合わせて組み立てられるカプセルを支持し、組み立て前のカプセル内に充填物を入れるとともに、その後にカプセルを組み立てるときに使用するカプセル支持具であって、
前記内殻が挿入される支持孔を有し、かつ、前記内殻が前記支持孔に挿入されて、前記充填物を入れる前の前記カプセルを保持する保持台と、
前記カプセルの前記外殻が嵌め込まれる第１保持孔を有し、前記保持台に保持されている前記外殻が前記第１保持孔に嵌め込まれて、前記カプセルを前記保持台から受け取る第１保持具と、
前記内殻が嵌め込まれる第２保持孔を有し、前記第１保持具に保持されている前記カプセルの前記内殻が前記第２保持孔に嵌め込まれて、前記内殻を前記外殻から取り外す第２保持具と、
前記第１保持具に取り付けられており、前記第２保持具に保持された前記内殻に前記充填物が入れられ、さらに、前記第１保持具に保持された前記外殻が前記第２保持具により保持されている前記内殻に結合されて前記カプセルが組み立てられた状態で、前記外殻に押し付けられて、前記第１保持孔から前記外殻を抜け出させる押出部材と、
前記外殻が嵌め込まれる第３保持孔を有し、前記第２保持具により保持されている前記カプセルの前記外殻を前記第３保持孔に嵌め込むことにより、前記カプセルを前記第２保持具から受け取る第３保持具と、
前記第３保持具により保持されている前記カプセルに押し付けられて、前記カプセルを前記第３保持具から取り出す取り出し部材とを有することを特徴とするカプセル支持具。
【請求項２】
請求項１に記載のカプセル支持具において、
物品を収容し、かつ、開口部を有する収容容器と、前記収容容器に取り付けられ、かつ、前記開口部を閉じる内蓋と、前記収容容器に対して着脱自在に構成され、かつ、前記収容容器に取り付けられたときに前記内蓋を覆う外蓋とを有し、
前記外蓋は、板形状の第１プレート部と、この第１プレート部の外周に連続して形成された筒形状の第１スカート部とを有し、前記外蓋は前記第１保持具及び前記第３保持具を兼ねており、前記第１保持孔は前記第１プレート部に設けられており、前記第３保持孔は前記第１スカート部に設けられており、前記押出部材は前記第１プレート部の内面に取り付けられている一方、
前記内蓋は、板形状の第２プレート部と、この第２プレートの外周に連続して形成された筒形状の第２スカート部とを有し、前記内蓋は前記第２保持具及び前記取り出し部材を兼ねており、前記第２保持孔は、前記第２プレート部に設けられていることを特徴とするカプセル支持具。
【請求項３】
請求項２に記載のカプセル支持具において、
前記充填物は、人が飲用する内服物であり、
前記物品は、前記内服物が入れられる前の前記カプセルであることを特徴とするカプセル支持具。
【請求項４】
請求項２に記載のカプセル支持具において、
前記物品は、ウェットティッシュであり、
前記第２プレート部に、前記ウェットティッシュを前記開口部を経由させて前記収容容器の外部に取り出すための案内部材が取り付けられていることを特徴とするカプセル支持具。
【発明の詳細な説明】
【技術分野】
【０００１】
本発明は、内殻及び外殻を有するカプセルを組み立てる前に、そのカプセル内に充填物を入れるときに用いるカプセル支持具に関する。
【背景技術】
【０００２】
従来、医薬品、滋養強壮剤等の内服物（充填物）を、カプセルに入れた状態で服用することが行われている。上記カプセルは、内殻及び外殻を結合して組み立てられており、そのカプセル内に内服物が封入されている。このようなカプセルには、内服物がカプセルに収容された状態で販売されているタイプと、内服物が充填されたボトルと空のカプセルとを使用者が購入後、使用者が内服物を服用する前に、ボトル等の容器から所定量の内服物を自分でカプセルに入れるタイプとがある。このように、使用者が服用する内服物を、使用者が服用する前にカプセルに入れるときに用いるカプセル支持具の一例が、特許文献１、２に記載されている。
【０００３】
特許文献１に記載されたカプセル支持具は、ケース本体と、ケース本体に対して開閉自在に取り付けたケース蓋とを有する。ケース本体には、内殻の開口部を上に向けた状態で、その内殻を支持する第１凹部が設けられている。ケース蓋には、外殻の開口部を下に向けた状態で、その外殻を支持する第２凹部が設けられている。また、ケース蓋には、第１凹部を略２等分割するように、ヒンジ部を介して開閉自在に取付けた開閉蓋部が取付けられている。
【０００４】
この特許文献１に記載されたカプセル支持具においては、使用者が内殻と外殻とを分離し、内殻の開口部を上に向けた状態で第１凹部に置く。一方、外殻の開口部を下に向けた状態で、その外殻を第２凹部に差し込む。そして、ボトルに充填された薬液（内服物）を、スプーン等を用いて所定量取り出し、取り出した薬液を内殻の内部に注入する。ついで、ケース蓋をケース本体に被せると、薬液を収容した内殻の外側に外殻が嵌まって一体化され、薬液を封入したカプセルが得られる。その後、使用者は、ケース蓋を閉じたままの状態としておき、開閉蓋部のみを開くと、外殻の半分程度が露出する。そこで、使用者は、外殻のうち露出した部分を手でつまんでカプセル全体を取り出し、服用することができるようになっている。
【０００５】
一方、特許文献２に記載されたカプセル支持具はケース本体を有し、ケース本体には、内殻の開口部を上に向けた状態で、内殻を支持する凹部が設けられている。また、ケース本体には、外殻の開口部を下に向けた状態で、外殻を差し込み保持する仮置き部が設けられている。
【０００６】
この特許文献２に記載されたカプセル支持具は、まず、使用者が内殻と外殻とを分離して、開口部を上に向けた状態で内殻を凹部に置く。一方、外殻の開口部を下に向けた状態で、その外殻を仮置き部に置く。そして、使用者は、ボトル内の薬液をスプーン等に移し、スプーンの薬液を内殻の内部に充填する。次いで、使用者は、外殻を手でつまみ上げて、その外殻を内殻に被せてカプセルを組み立てる。その後、使用者は、カプセルを手でつまんで凹部から取り出し、服用するようになっている。
【先行技術文献】
【特許文献】
【０００７】
【特許文献１】特開平１１−２５３５３１号公報
【特許文献２】実用新案登録第３０５５５１７号公報
【発明の概要】
【発明が解決しようとする課題】
【０００８】
しかしながら、特許文献１、２に示すカプセル支持具においては、組み立て前のカプセル内に内服物を入れる時点から、内服物が入れられたカプセルを支持具から取り外すまでの間に、カプセルに手を触れるため、衛生上、好ましくないという問題があった。
【０００９】
本発明の目的は、組み立て前のカプセル内に充填物を入れる時点から、充填物が入れられたカプセルを支持具から取り外すまでの間、カプセルに手を触れる必要がないカプセル支持具を提供することにある。
【課題を解決するための手段】
【００１０】
本発明は、内殻と外殻とを嵌め合わせて組み立てられるカプセルを支持し、組み立て前のカプセル内に充填物を入れるとともに、その後にカプセルを組み立てるときに使用するカプセル支持具であって、前記内殻が挿入される支持孔を有し、かつ、前記内殻が前記支持孔に挿入されて、前記充填物を入れる前の前記カプセルを保持する保持台と、前記カプセルの前記外殻が嵌め込まれる第１保持孔を有し、前記保持台に保持されている前記外殻が前記第１保持孔に嵌め込まれて、前記カプセルを前記保持台から受け取る第１保持具と、前記内殻が嵌め込まれる第２保持孔を有し、前記第１保持具に保持されている前記カプセルの前記内殻が前記第２保持孔に嵌め込まれて、前記内殻を前記外殻から取り外す第２保持具と、前記第１保持具に取り付けられており、前記第２保持具に保持された前記内殻に前記充填物が入れられ、さらに、前記第１保持具に保持された前記外殻が前記第２保持具により保持されている前記内殻に結合されて前記カプセルが組み立てられた状態で、前記外殻に押し付けられて、前記第１保持孔から前記外殻を抜け出させる押出部材と、前記外殻が嵌め込まれる第３保持孔を有し、前記第２保持具により保持されている前記カプセルの前記外殻を前記第３保持孔に嵌め込むことにより、前記カプセルを前記第２保持具から受け取る第３保持具と、前記第３保持具により保持されている前記カプセルに押し付けられて、前記カプセルを前記第３保持具から取り出す取り出し部材とを有することを特徴とする。
【００１１】
本発明は、物品を収容し、かつ、開口部を有する収容容器と、前記収容容器に取り付けられ、かつ、前記開口部を閉じる内蓋と、前記収容容器に対して着脱自在に構成され、かつ、前記収容容器に取り付けられたときに前記内蓋を覆う外蓋とを有し、前記外蓋は、板形状の第１プレート部と、この第１プレート部の外周に連続して形成された筒形状の第１スカート部とを有し、前記外蓋は前記第１保持具及び前記第３保持具を兼ねており、前記第１保持孔は前記第１プレート部に設けられており、前記第３保持孔は前記第１スカート部に設けられており、前記押出部材は前記第１プレート部の内面に取り付けられている一方、前記内蓋は、板形状の第２プレート部と、この第２プレートの外周に連続して形成された筒形状の第２スカート部とを有し、前記内蓋は前記第２保持具及び前記取り出し部材を兼ねており、前記第２保持孔は、前記第２プレート部に設けられていることを特徴とする。
【００１２】
本発明は、前記充填物は、人が飲用する内服物であり、前記物品は、前記内服物が入れられる前の前記カプセルであることを特徴とする。
【００１３】
本発明は、前記物品は、ウェットティッシュであり、前記第２プレート部に、前記ウェットティッシュを前記開口部を経由させて前記収容容器の外部に取り出すための案内部材が取り付けられていることを特徴とする。
【発明の効果】
【００１４】
本発明によれば、カプセルを外殻と内殻とに分離する作業、分離された内殻に充填物を入れる作業、内服物が入れられた内殻に外殻を結合してカプセルを組み立てる作業、充填物が入れられたカプセルを外蓋から取り出す作業の全てを、カプセルに手を触れずに行うことができる。したがって、手に付着した埃やゴミ等の異物がカプセルに付着することを防止できる。
【００１５】
本発明によれば、収容容器の開口部を閉じる内蓋と、収容容器に対して着脱自在であり、かつ、収容容器に取り付けると内蓋を覆う外蓋を有する。また、外蓋は第１保持具及び第３保持具を兼ねており、内蓋は第２保持具及び取り出し部材を兼ねている。したがって、第１保持具、第２保持具、第３保持具、取り出し部材を専用に設けずに済む。
【００１６】
本発明によれば、内服物を入れる前のカプセルを収容容器に入れることができる。
【００１７】
本発明によれば、外蓋を収容容器から取り外して、ウェットティッシュを収容容器から取り出し、そのウェットティッシュで各保持孔を清掃することができる。
【図面の簡単な説明】
【００１８】
【図１】本発明のカプセル支持具を構成する部品の斜視図である。
【図２】図１に示されたカプセル支持具を構成する内蓋の断面図である。
【図３】図１に示す保持台でカプセルを保持した状態の断面図である。
【図４】図１に示す外蓋の構成を示す底面図である。
【図５】図１に示すカプセル支持具において、保持台に保持されたカプセルを外蓋で保持する過程を示す断面図である。
【図６】図１に示すカプセル支持具において、外蓋及び内蓋でカプセルを保持した状態の断面図である。
【図７】図１に示すカプセル支持具において、外蓋で外殻を保持し、内蓋で内殻を保持した状態の断面図である。
【図８】図１に示すカプセル支持具において、内殻に内服物を注入する過程の断面図である。
【図９】図１に示すカプセル支持具において、内服物が注入された内殻に外殻を嵌め合わせてカプセルを組み立てる過程の断面図である。
【図１０】図１に示すカプセル支持具において、内服物が注入されたカプセルを内蓋で保持した状態の断面図である。
【図１１】図１に示すカプセル支持具において、内服物が注入されたカプセルを外蓋でつかみ取る前の断面図である。
【図１２】図１に示すカプセル支持具において、内服物が注入されたカプセルを外蓋でつかみ取る途中の断面図である。
【図１３】図１に示すカプセル支持具において、内服物が注入されたカプセルを外蓋でつかみ取った後の断面図である。
【図１４】図１に示すカプセル支持具において、内服物が注入されたカプセルを、外蓋から離脱させる過程を示す断面図である。
【図１５】図１に示すカプセル支持具において、収容容器の他の構成例を示す断面図である。
【図１６】図１に示すカプセル支持具において、外蓋を取り外した収容容器の平面図である。
【発明を実施するための形態】
【００１９】
以下、本発明の一実施の形態について、図面を用いて詳細に説明する。図１のように、本実施形態のカプセル支持具１０は、保持台１１と収容容器１２とを有する。以下、カプセル支持具１０を「支持具１０」と記載する。保持台１１は、内服物としての液体を注入する前のカプセル１３を保持するためのものである。保持台１１は、本体１４と、本体１４に対してヒンジ部１５を介して開閉自在に取り付けられた蓋１６とを有する。本体１４はブロック形状、具体的には直方体形状に構成されており、本体１４は支持孔１４ａを２つ有する。蓋１６はブロック形状、具体的には直方体形状に構成されており、蓋１６は収容凹部１６ａを２つ有する。上記２つの支持孔１４ａ及び２つの収容凹部１６ａは、２個のカプセル１３を別個に収容するために設けられている。
【００２０】
カプセル１３は、図３のように外殻１３ａ及び内殻１３ｂを有する。外殻１３ａ及び内殻１３ｂは、共に水溶性樹脂により形成されており、不透明、半透明となるように着色等が施されている。外殻１３ａと内殻１３ｂとは別個に設けられており、外殻１３ａは開口部１３ｃ及び半球形状の底部を有する円筒形状の容器である。内殻１３ｂは開口部１３ｄ及び半球形状の底部を有する円筒形状の容器である。外殻１３ａの内径は内殻１３ｂの外径よりも若干大きく設定されている。
【００２１】
このため、外殻１３ａの開口部１３ｃと、内殻１３ｂの開口部１３ｄとを向かい合わせ、かつ、外殻１３ａと内殻１３ｂとを同軸に配置した状態で、外殻１３ａと内殻１３ｂとを近づけると、内殻１３ｂの一部が外殻１３ａの内部に進入する。ここで、内殻１３ｂの外周面と外殻１３ａの内周面との接触部分に摩擦力が生じ、内殻１３ｂと外殻１３ａとが一体化された結合体として、１個のカプセル１３が組み立てられる。カプセル１３の中心線Ｄに対して垂直な平面内において、外殻１３ａの断面形状及び内殻１３ｂの断面形状は、共に円形である。また、２つのカプセル１３は、外殻１３ａ及び内殻１３ｂの直径、中心線Ｄに沿った方向の長さが同じである。このように、カプセル１３は周知の材料、形状、構造を有している。
【００２２】
前記本体１４の上面１４ｂは平坦になっており、２つの支持孔１４ａは上面１４ｂに開口されている。２つの支持孔１４ａは、共に平面形状が円形であり、各支持孔１４ａの内径は、内殻１３ｂの外径よりも大きい。支持孔１４ａの中心線Ａ同士は所定の距離を隔てて配置されている。また、各支持孔１４ａの深さは、一体化されたカプセル１３の内殻１３ｂを挿入したときに、外殻１３ａが外部に露出する深さに設定されている。一方、２つの支持孔１４ａは、蓋１６を閉じたときに２つの収容凹部１６ａと別個に対向する位置に設けられている。各収容凹部１６ａは平面形状が円形であり、各収容凹部１６ａの内径は外殻１３ａの外径よりも大きく設定されている。また、各収容凹部１６ａの深さは、一体化されたカプセル１３を支持孔１４ａに保持した状態で、蓋１６を閉じることができる深さに設定されている。
【００２３】
さらに、本体１４には金具１４ｃが取付けられており、蓋１６にはピン１６ｂが設けられている。支持具１０は、金具１４ｃをピン１６ｂに掛け止めることにより、蓋１６を閉じた状態に維持することができる。なお、本体１４及び蓋１６を構成する材料は、木材、樹脂等何でもよい。
【００２４】
収容容器１２は、物品としてのカプセル１３を多数収容することのできる要素である。収容容器１２に収容されるカプセル１３には、内服物は入れられていない。収容容器１２は樹脂材料により一体成形されている。収容容器１２は、図１及び図２のように、胴部１２ａと、胴部１２ａの一方の端部に連続して形成された底部１２ｂと、胴部１２ａの他方の端部に連続して形成された円筒部１２ｃとを有する。胴部１２ａの外周形状は、四角形、円形、六角形等のいずれでもよいが、図においては、便宜上、四角形の胴部１２ａが示されている。円筒部１２ｃの外周面には雄ねじ１２ｄが形成されている。また、円筒部１２ｃにおける胴部１２ａとは反対側の端部には、小径円筒部１２ｇが設けられている。円筒部１２ｃ及び小径円筒部１２ｇは同軸に配置されている。小径円筒部１２ｇは収容容器１２の開口部１２ｅを形成している。また、小径円筒部１２ｇの外径は、円筒部１２ｃの外径未満である。さらに、小径円筒部１２ｇの外周面には、係止突起１２ｆが設けられている。
【００２５】
上記開口部１２ｅは、内蓋１７により閉じられている。内蓋１７は、円形のプレート部１７ａと、プレート部１７ａの外周縁に連続されたスカート部１７ｂとを有する。スカート部１７ｂは円筒形状を有し、スカート部１７ｂの内径は、小径円筒部１２ｇの外径よりも大きく設定されている。収容容器１２がテーブル等の上に載せられた状態において、プレート部１７ａは水平である。また、スカート部１７ｂの内周面には、係止突起１７ｃが設けられている。そして、スカート部１７ｂは小径円筒部１２ｇの外側に嵌め込まれており、係止突起１２ｆと係止突起１７ｃとが係止することで、内蓋１７が収容容器１２に固定されている。すなわち、開口部１２ｅは内蓋１７により閉じられている。
【００２６】
これに対して、使用者が内蓋１７を手でつかんで内蓋１７を収容容器１２から取り外す力を加えて、その力が係止突起１２ｆ，１７ｃ同士の係止力を超えると、内蓋１７を収容容器１２から取り外すことができる。内蓋１７を収容容器１２から取り外すと、開口部１２ｅを経由してカプセル１３を収容容器１２内に入れたり、収容容器１２内のカプセル１３を開口部１２ｅを経由して取り出したりすることができる。
【００２７】
また、プレート部１７ａには、内蓋１７が収容容器１２に固定された状態で、収容容器１２の内部に向けて突出された窪み部１７ｄが設けられており、その窪み部１７ｄの一部とプレート部１７ａとの間に取出口１７ｆが形成されている。この取出口１７ｆは、収容容器１２に内蓋１７が固定されている状態において、収容容器１２内のカプセル１３を、収容容器１２の外部に取り出すとき、あるいは、空のカプセル１３を収容容器１２内に入れるときに用いることができる。
【００２８】
さらに、プレート部１７ａには、収容容器１２の内部に向けて突出された他の窪み部１７ｅを有する。さらに、プレート部１７ａには、窪み部１７ｅを塞ぐシート１８が固定されている。このシート１８は竹を薄く切削加工したものであり、プレート部１７ａにシート１８が接着剤により固定されている。収容容器１２がテーブル等に載せられた状態において、シート１８は略水平となる。また、シート１８には保持孔１８ａが２つ設けられている。保持孔１８ａは中心線Ｂを中心として形成されている。保持孔１８ａは、カプセル１３を保持するために設けられている。より具体的に説明すると、保持孔１８ａの平面形状は円形であり、保持孔１８ａの内径は内殻１３ｂの外径と略同一に設定されている。このため、内殻１３ｂを保持孔１８ａに差し込むと、内殻１３ｂの外周面とシート１８との接触部分に摩擦力が生じて、内蓋１７により、内殻１３ｂを単独で、またはカプセル１３を保持することができる。２つの保持孔１８ａの中心線Ｂ同士は平行であり、水平方向の平面内において、中心線Ｂ同士の距離は、中心線Ａ同士の距離と同じである。
【００２９】
さらに、図１、図２、図１６のように、シート１８の表面にはストッパ２７が取り付けられている。このストッパ２７は木材により構成されており、ストッパ２７は、シート１８に対して接着剤及びネジにより固定されている。なお、接着剤及びネジは便宜上、図示していない。ストッパ２７は、図１６に示すように、シート１８の平面方向において、２つの保持孔１８ａ同士の間よりも内蓋１７の外周縁に近い位置に設けられている。そして、ストッパ２７は、内蓋１７のプレート部１７ａの表面から、内蓋１７の高さ方向に所定量が突出されている。
【００３０】
さらにまた、窪み部１７ｅとシート１８との間には、補強チップ２８が設けられている。補強チップ２８は木材により構成されており、補強チップ２８は３個設けられている。３個の補強チップ２８は、２つの保持孔１８ａの配置方向に沿って所定間隔で設けられている。図１６のように、３個の補強チップ２８は、２つの保持孔１８ａを避けた位置に設けられている。３個の補強チップ２８は、シート１８が厚さ方向に変形することを防止するために設けられている。３個の補強チップ２８は窪み部１７ｅの表面に接着剤により固定されている。なお、中央の補強チップ２８は、接着剤及びネジにより固定されている。
【００３１】
さらにまた、図１、図２、図１６のように、プレート部１７ａの表面には、平面形状が三か月形のガイド２９が取り付けられている。ガイド２９はプレート部１７ａの表面からの突出量が、ストッパ２７の突出量と同じに設定されている。プレート部１７ａの平面方向において、プレート部１７ａの中心を基準とし、ストッパ２７の反対側にガイド２９が設けられている。ガイド２９は木材により構成されており、ガイド２９は接着剤によりプレート部１７ａの表面に固定されている。ガイド２９はプレート部１７ａの表面と垂直なガイド面２９ａを有する。ガイド面２９ａは平坦であり、２つの保持孔１８ａの配置方向に沿って所定の長さを有している。
【００３２】
前記収容容器１２の円筒部１２ｃには、外蓋１９が着脱できるように取り付けられている。外蓋１９は、図１及び図４のように、平面形状が円形のプレート部１９ａと、プレート部１９ａの外周縁に連続されたスカート部１９ｂとを有する。スカート部１９ｂは円筒形状を有し、スカート部１９ｂの内径は、円筒部１２ｃの外径よりも大きく設定されている。また、図６のように、スカート部１９ｂの内周面には雌ねじ１９ｃが形成されている。そして、内蓋１７が収容容器１２に固定された状態で、外蓋１９を内蓋１７の上から円筒部１２ｃに被せ、外蓋１９を正方向に回転させると、雄ねじ１２ｄと雌ねじ１９ｃとが噛み合い、外蓋１９を収容容器１２に固定することができる。
【００３３】
このように、外蓋１９を収容容器１２に固定すると、内蓋１７の取出口１７ｆが外蓋１９により塞がれる。すなわち、外蓋１９は内蓋１７の外側に設けられた閉止体としての役割をもつ。なお、外蓋１９を逆方向に回転させると、雄ねじ１２ｄと雌ねじ１９ｃとの噛み合いが外れて、外蓋１９を収容容器１２から取り外すことができる。
【００３４】
また、プレート部１９ａには、保持孔１９ｄが２個設けられている。２個の保持孔１９ｄの中心線Ｃ同士は平行であり、中心線Ｃ同士の距離は、中心線Ｂ同士の距離と同じに設定されている。さらに、保持孔１９ｄの内径は保持孔１８ａの内径よりも大きく設定されている。具体的には、保持孔１９ｄの内径は外殻１３ａの外径と略同じに設定されており、外殻１３ａを保持孔１９ｄに嵌め込むと、外殻１３ａの外周面とプレート部１９ａとの接触部分に生じる摩擦力により、外蓋１９は外殻１３ａを保持することができる。
【００３５】
ここで、保持孔１９ｄと外殻１３ａとの接触部分に生じる摩擦力は、支持孔１４ａと内殻１３ｂとの接触部分に生じる摩擦力よりも大きくなるように、支持孔１４ａの内径及び保持孔１９ｄの内径が決定されている。また、組み立てられたカプセル１３の外殻１３ａを保持孔１９ｄに差し込み、中心線Ｄに沿った方向に内殻１３ｂと外殻１３ａとを分離させる力を加えると、内殻１３ｂと外殻１３ａとの接触部分に生じる摩擦力よりも、保持孔１９ｄと内殻１３ｂとの接触部分に生じる摩擦力の方が大きくなるように、保持孔１９ｄの内径が決定されている。
【００３６】
さらに、スカート部１９ｂには、半径方向に貫通する保持孔１９ｅが２個設けられている。２個の保持孔１９ｅは、スカート部１９ｂに円周方向で所定の間隔をおいて配置されている。保持孔１９ｅの内径は、外殻１３ａの外径と略同じである。このため、カプセル１３の外殻１３ａを保持孔１９ｅに嵌め込むと、外殻１３ａの外周面とスカート部１９ｂとの接触部分に生じる摩擦力により、カプセル１３を外蓋１９で保持することができる。また、図４のように、保持孔１９ｅの中心線Ｅ同士は非平行となっている。具体的には、２本の中心線Ｅの延長上にプレート部１９ａの中心Ｆがある。このため、中心線Ｅ同士の間隔は、プレート部１９ａの中心Ｆに近いほど狭くなる。そして、スカート部１９ｂの円周上における中心線Ｅ同士の直線距離は、中心線Ｂ同士の距離よりも長い。
【００３７】
さらに、図１及び図６のように、プレート部１９ａの外面には、位置決めピン２０が設けられている。位置決めピン２０は、２個の保持孔１９ｄよりも中心Ｆに近い位置に設けられている。さらに、プレート部１９ａの外面には位置決めリブ２１が設けられている。略水平な平面内において、位置決めリブ２１と位置決めピン２０との間に中心Ｆが位置している。また、位置決めリブ２１は、２個の保持孔１９ｄの配列方向に沿って延ばされている。位置決めピン２０及び位置決めリブ２１は、プレート部１９ａの表面からの突出量が同じである。また、位置決めピン２０及び位置決めリブ２１のそれぞれの突出量は、ストッパ２７及びガイド２８のそれぞれの突出量と同じである。
【００３８】
一方、プレート部１９ａの内面には、図４のように２枚のシート２２が取り付けられている。２枚のシート２２は共に扇形を有しており、２個の保持孔１９ｄは、２枚のシート２２により別々に覆われている。２枚のシート２２は、プレート部１９ａの中心Ｆに近い方の一辺がプレート部１９ａに固定されている。２枚のシート２２は、厚さ方向に撓むような材料、例えば、軟質樹脂で形成されたフィルムで構成されている。この２枚のシート２２は、保持孔１９ｄに保持されたカプセル１３に手を接触させることなく、保持孔１９ｄからカプセル１３を抜け出させるために設けられている。
【００３９】
上記のように構成された支持具１０の使用方法は、以下の通りである。使用者は、テーブル等に保持台１１を置いて蓋１６を開き、図１または図３のように、カプセル１３を保持台１１により保持した状態とする。ここで、カプセル１３の内部に液体は注入されていない。また、カプセル１３は、開口部１３ｄが上を向く状態で、内殻１３ｂが支持孔１４ａに挿入されている。カプセル１３が保持台１１に保持されていると、支持孔１４ａの内周面と内殻１３ｂの外周面との間には隙間があり、内殻１３ｂは支持孔１４ａに嵌め合わされていない。
【００４０】
そして、使用者が外蓋１９を単体で持ち、位置決めピン２０及び位置決めリブ２１を下に向けた状態とし、外蓋１９を図５で二点鎖線で示すように、本体１４の上方に位置させる。ここで、使用者は、水平方向の平面内において、本体１４に保持された２個のカプセル１３と、外蓋１９に設けられた２個の保持孔１９ｄとが同じ位置となるように、外蓋１９を位置決めする。
【００４１】
次に、使用者は外蓋１９を下降させて、外蓋１９とカプセル１３とを接近させる。すると、外殻１３ａが保持孔１９ｄ内に進入するとともに、シート２２は外殻１３ａに押されて撓む。使用者は、外蓋１９が本体１４に接触する前に、図５に実線で示すように外蓋１９を停止させる。外蓋１９が停止された時点において、外殻１３ａは保持孔１９ｄに嵌め合わされている。つまり、外殻１３ａの外周面とプレート部１９ａとの接触部分の摩擦力により、カプセル１３を保持する保持力が生じている。このため、使用者が外蓋１９を上方に持ち上げると、カプセル１３は外蓋１９と共に持ち上げられ、カプセル１３は本体１４から取り出される。
【００４２】
一方、図１のように、内蓋１７は収容容器１２に固定されており、プレート部１７ａは略水平に保持されている。そして、使用者は、外蓋１９を内蓋１７の上方へ移動し、位置決めピン２０及び位置決めリブ２１が下を向くようにして、外蓋１９を持つ。ここで、位置決めピン２０及び位置決めリブ２１が内蓋１７の上方に位置し、かつ、２個のカプセル１３の真下に２個の保持孔１８ａが位置するように、水平方向の平面内で外蓋１９と内蓋１７とを位置決めする。そして、使用者は外蓋１９を下降させて、外蓋１９と内蓋１７とを近づける。
【００４３】
すると、位置決めリブ２１がガイド２９のガイド面２９ａに接触し、２個のカプセル１３と２個の保持孔１８ａとが、２個の保持孔１８ａの配置方向に対して直角な方向で位置決めされ、２個のカプセル１３の内殻１３ｂが２個の保持孔１８ａに別個に進入する。このとき、外殻１３ａとプレート部１９ａとが、上下方向に相対移動することはない。それは、外殻１３ａと保持孔１９ｄとの接触部分で生じる摩擦力は、内殻１３ｂとシート１８との接触部分で生じる摩擦力よりも大きいからである。
【００４４】
また、内殻１３ｂが保持孔１８ａに挿入されるとき、内殻１３ｂとシート１８との接触部分で生じる摩擦力に応じて、シート１８を押圧する力が生じる。しかし、シート１８は、３個の補強チップ２８により補強されているため、シート１８が厚さ方向に変形することを防止できる。そして、使用者は、図６のように、位置決めピン２０及び位置決めリブ２１の先端が内蓋１７に接触する一方、ストッパ２７が外蓋１９に接触した時点で外蓋１９を停止させる。このように、内蓋１７と外蓋１９との間の間隔の最低値は、ストッパ２７、位置決めピン２０、位置決めリブ２１、ストッパ２７により決定される。これにより、内殻１３ｂが保持孔１８ａで保持された後に、プレート部１９ａが外殻１３ａと内殻１３ｂとの段差部を越えて内殻１３ｂの外表面側にまで到達することを防止できる。
【００４５】
その後、使用者が外蓋１９を持ち上げると、図７のように、外蓋１９に保持された外殻１３ａと、内蓋１７に保持された内殻１３ｂとが分離される。これは、プレート部１９ａと外殻１３ａとの接触部分に生じる摩擦力、シート１８と内殻１３ｂとの接触部分に生じる摩擦力は、それぞれ単独で、外殻１３ａと内殻１３ｂとの接触部分に生じる摩擦力よりも大きいからである。また、前記のように、内蓋１７と外蓋１９との間隔の最低値が確保されており、プレート部１９ａが外殻１３ａの外表面に接触した状態が維持されているため、プレート部１９ａにより外殻１３ａを確実に保持する摩擦力が生じている。
【００４６】
上記の作業により、内殻１３ｂと外殻１３ａとを分離させると、開口部１３ｄが上を向いた状態で内殻１３ｂが内蓋１７に保持されている。そこで、使用者はボトルを手でつかみ、図８のようにボトル２３から出た液体Ｇを内殻１３ｂに注入する。ついで、使用者は外蓋１９を手でつかみ、位置決めピン２０及び位置決めリブ２１を下に向けて、外蓋１９を内蓋に近づける。このとき、ガイド面２９ａに位置決めリブ２１が接触して、内殻１３ｂと外殻１３ａとが位置決めされることは前述と同じである。そして、外蓋１９に保持されている外殻１３ａが、内蓋１７に保持されている内殻１３ｂに嵌め合わされる。
【００４７】
使用者は、図９のように、位置決めピン２０、位置決めリブ２１、ストッパ２７が内蓋１７に接触した時点で、外蓋１９を停止させる。外蓋１９が停止された時点で、内殻１３ｂと外殻１３ａとの結合が完了し、液体Ｇが収容されたカプセル１３が２個出来上がる。上記の作用中、位置決めピン２０及び位置決めリブ２１が内蓋１７に接触することにより、プレート部１７ａとプレート部１９ａとが平行となり、内殻１３ｂと外殻１３ａとの同軸度が保持される。
【００４８】
その後、使用者は外蓋１９を手でつかんだまま、シート２２を介して間接的に外殻１３ａを押し、かつ、外蓋１９を持ち上げる。すると、外殻１３ａは、図１０のように保持孔１９ｄから抜け出し、カプセル１３は内蓋１７により保持された状態となる。次に、使用者は、外蓋１９のスカート部１９ｂの中心線（図示せず）が略水平となるように外蓋１９を手で持ち、かつ、図１１のように、２個の保持孔１９ｅが２個のカプセル１３の上に位置するようにスカート部１９ｂの位相を合わせる。そして、外蓋１９をカプセル１３に向けて近づけ、図１２のように、２個のカプセル１３の外殻１３ａを、２個の保持孔１９ｅに単独で食い込ませる。スカート部１９ｂ上における中心線Ｅ同士の直線距離は、中心線Ｂ同士の距離よりも長いため、２個のカプセル１３の中心線Ｄ同士は非平行となる。具体的には外蓋１９に近づくほど、２本の中心線Ｄ同士の距離が長くなる。また、ストッパ２７がスカート部１９ｂに接触して、外蓋１９の移動が停止される。
【００４９】
そして、使用者は、収容容器１２を一方の手で押さえ、他方の手で外蓋１９を持ち上げると、図１３のように、２個のカプセル１３が外蓋１９に保持されたまま、内殻１３ｂが保持孔１８ａから抜け出す。つまり、２個のカプセル１３は、外蓋１９の保持孔１９ｅに嵌め合わされて保持された状態となる。２個のカプセル１３がシート１８から離脱する作用は、以下の２つの理由によるものである。第１の理由は、外殻１３ａとスカート部１９ｂとの接触部分の摩擦力は、内殻１３ｂとシート１８との接触部分の摩擦力よりも大きいからである。第２の理由は、２個のカプセル１３の中心線Ｄ同士の距離が外蓋１９に近いほど長くなっており、その中心線Ｄに対して所定角度傾斜した方向にカプセル１３が持ち上げられるため、内殻１３ｂと外殻１３ａとの接触部分で生じる摩擦力が、内殻１３ｂとシート１８との接触部分で生じる摩擦力よりも大きいからである。さらに、ストッパ２７は、スカート部１９ｂにおいて、２つの保持孔１９ｅの間に接触して、スカート部１９ｂが弾性変形し、スカート部１９ｂが部分的に直線に近似する形状となる。このため、カプセル１３を保持する保持力が増す。
【００５０】
その後、使用者は、２個のカプセル１３を保持した外蓋１９を手で持ち、図１４のように、外蓋１９のスカート部１９ｂの内側に収容容器１２の内蓋１７を進入させる。そして、使用者は、内蓋１７の外周面をカプセル１３の外殻１３ａに接触させて、外蓋１９と内蓋１７とを半径方向に相対移動させる。具体的には、内蓋１７の外周面をカプセル１３に押し付ける。すると、カプセル１３は、内蓋１７により押されて保持孔１９ｅから抜け出す。使用者は、外蓋１９の保持孔１９ｅから抜け出したカプセル１３を、滅菌紙、手等で受け止め、そのカプセル１３を自ら服用する。
【００５１】
このように、使用者は支持具１０を使用して、カプセル１３を外殻１３ａと内殻１３ｂとに分離する作業、分離された内殻１３ｂに液体Ｇを注入する作業、液体Ｇが注入された内殻１３ｂに外殻１３ａを結合してカプセル１３を組み立てる作業、液体Ｇが注入されたカプセル１３を外蓋１９から取り出す作業の全てを、カプセル１３に手を触れずに行うことができる。したがって、手に付着した埃やゴミ等の異物がカプセル１３に付着することを防止でき、衛生的である。
【００５２】
また、本実施形態においては、２つの保持孔１９ｅの中心線Ｅ同士が非平行であるため、外殻１３ａとスカート部１９ｂとの接触部分で生じる摩擦力、外殻１３ａと内殻１３ｂとの接触部分で生じる摩擦力、内殻１３ｂとシート１８との接触部分で生じる摩擦力との大小関係を利用して、外蓋１９を内蓋１７から離れさせるいう動作を１回行うことにより、液体Ｇが注入された２本のカプセル１３を、シート１８から同時に抜き出して外蓋１９で保持することができる。したがって、１度に２本のカプセル１３を分解及び組み立てることができ、作業効率が向上する。
【００５３】
さらに、位置決めリブ２１は長尺形状に構成されているため、位置決めピン２０及び位置決めリブ２１により、実質的に３点で内蓋１７と外蓋１９とを位置決めしていることになる。したがって、内蓋１７と外蓋１９との平行度を高精度に維持することができる。また、カプセル１３が多数収容される収容容器１２、内蓋１７、外蓋１９をそのまま利用（廃物利用）して、支持具１０を構成しているため、専用の収容容器、部品を用意する必要がない。さらに、外蓋１９を手で持つときには、プレート部１９ａの外周をつかむと、外蓋１９の弾性変形を抑制できる。さらに、保持台１１には、２つの支持孔１４ａを１組として、複数組の支持孔を設けてもよい。
【００５４】
本実施形態において、収容容器１２内に収容する物品の他の例を、図１５に基づいて説明する。この収容容器１２の内部には、ウェットティッシュ２４が収容されている。ウェットティッシュ２４は、アルコール、水等の湿気を含んでいる。また、取出口１７ｆには、取出口２５ａを有する案内部材２５が取り付けられている。案内部材２５は円板形状を有しており、外周縁の一部が窪み部１７ｄの先端に係止されている。案内部材２５の外周縁における他の部分はプレート部１７ａに接触され、かつ、プレート部１７ａとストッパ２６との間に押し付けられている。案内部材２５は、樹脂により構成されている。ストッパ２６はプレート部１７ａに対して接合固定されている。このように構成すると、外蓋１９を収容容器１２から取り外し、ウェットティッシュ２４を収容容器１２内から１枚ずつ取り出して、各保持孔、ボトル２３の抽出口等の汚れを拭き取ることができる。
【００５５】
本発明は前記実施の形態に限定されるものではなく、その要旨を逸脱しない範囲で種々変更可能であることは言うまでもない。例えば、本体１４に形成する支持孔１４ａを１つとし、シート１８に形成する保持孔１８ａを１つとし、プレート部１９ａに形成する保持孔１９ｄを１つとし、スカート部１９ｂに形成する保持孔１９ｅを１つとした支持具を構成してもよい。このような支持具においては、内服液を注入したカプセル１３を保持孔１８ａで保持している状態から、外蓋１９をカプセル１３に近づけて外蓋１９のスカート部１９ｂの保持孔１９ｅに外殻１３ａを嵌め合わせた後、中心線Ｅと保持孔１８ａの中心線Ｂとが交差する状態として、外蓋１９を内蓋１７から離れさせる。このようにすることにより、カプセル１３の内殻１３ｂがシート１８の保持孔１８ａから抜け出し、カプセル１３を外蓋１９で保持することができる。この原理は前述と同じである。なお、その他の作業は、各保持孔を２個づつ形成した支持具と同じである。また、内蓋のプレート部の平面形状は四角形でもよく、外蓋のプレート部も四角形でもよい。その場合、外蓋は雄ねじ、雌ねじ以外の構成により、収容容器に取り付けられる。
【００５６】
また、本実施形態において、カプセル１３に収容する内服物は、滋養強壮剤、医薬品、栄養剤、健康補助食品（サプリメント）等のうちのいずれでもよい。また、内服物は、液体、粉末、顆粒等のうちのいずれでもよい。
【００５７】
ここで、本実施形態において説明した構成と、本発明の構成との対応関係を説明すると、内服物である液体Ｇ、ウェットティッシュ２４が、本発明の物品に相当し、開口部１２ｅが本発明の開口部に相当し、プレート部１９ａが、本発明の第１プレート部に相当し、スカート部１９ｂが、本発明の第１スカート部に相当し、保持孔１９ｄが、本発明の第１保持孔に相当し、保持孔１８ａが、本発明の第２保持孔に相当し、シート２２が、本発明の押出部材に相当し、保持孔１９ｅが、本発明の第３保持孔に相当し、プレート部１７ａが、本発明の第１プレート部に相当し、スカート部１７ｂが、本発明の第２スカート部に相当し、内蓋１７が、本発明の取り出し部材に相当する。
【００５８】
なお、上記の実施形態においては、内蓋が第２保持具及び取り出し部材を兼ねており、外蓋が第１保持具及び第３保持具を兼ねているが、第１保持具、第２保持具、第３保持具、取り出し部材を、それぞれ専用の部品として設けることもできる。例えば、金属で構成され、かつ、底部を有する円筒形状の缶の開口部に、上記の内蓋を取り付けるように構成してもよい。このような缶としては、茶筒等があり、廃物利用できる。
【符号の説明】
【００５９】
１０    支持具（カプセル支持具）
１１    保持台
１２    収容容器
１２ａ    胴部
１２ｂ    底部
１２ｃ    円筒部
１２ｄ    雄ねじ
１２ｅ，１３ｃ，１３ｄ    開口部
１２ｆ    係止突起
１２ｇ    小径円筒部
１３    カプセル
１３ａ    外殻
１３ｂ    内殻
１４    本体
１４ａ    支持孔
１４ｂ    上面
１４ｃ    金具
１５    ヒンジ部
１６    蓋
１６ａ    収容凹部
１６ｂ    ピン
１７    内蓋
１７ａ，１９ａ    プレート部
１７ｂ，１９ｂ    スカート部
１７ｃ    係止突起
１７ｄ，１７ｅ    窪み部
１７ｆ    取出口
１８    シート
１８ａ，１９ｄ，１９ｅ    保持孔
１９    外蓋
１９ｃ    雌ねじ
２０    位置決めピン
２１    位置決めリブ
２２    シート
２３    ボトル
２４    ウェットティッシュ
２５    案内部材
２６，２７    ストッパ
２８    補強チップ
２９    ガイド
２９ａ  ガイド面
Ａ，Ｂ，Ｃ，Ｄ，Ｅ    中心線
Ｆ    中心
Ｇ    液体
【図１】
2013180797.tif 000003
【図２】
2013180797.tif 000004
【図３】
2013180797.tif 000005
【図４】
2013180797.tif 000006
【図５】
2013180797.tif 000007
【図６】
2013180797.tif 000008
【図７】
2013180797.tif 000009
【図８】
2013180797.tif 000010
【図９】
2013180797.tif 000011
【図１０】
2013180797.tif 000012
【図１１】
2013180797.tif 000013
【図１２】
2013180797.tif 000014
【図１３】
2013180797.tif 000015
【図１４】
2013180797.tif 000016
【図１５】
2013180797.tif 000017
【図１６】
2013180797.tif 000018